(57)【要約】【課題】その上に載せて被搬送物を移動する際に、適当な制動力を鋼球に与えることにより、被搬送物が慣性で動きすぎないようにした重量物移送用スライダを提供する。【解決手段】重量物移送用スライダ１は、鋼球２と、上下の硬質の板材３と、中間の軟質樹脂板４とからなる。上下の硬質の板材３には、鋼球２の直径よりも若干小さな直径の穴をあけ、中間の軟質樹脂板４には、鋼球２の直径とほぼ同じ径の穴をあける。鋼球２の外周面に軟質樹脂板４の穴の内周面が接触しているため、軟質樹脂板４と鋼球２との間に適度な摩擦抵抗が作用し、重量物である被搬送物を移動させる場合の制動力となる。【選択図】図１
2008056400.tif 000002
【特許請求の範囲】
【請求項１】
上下の硬質の板材に鋼球の直径よりも小さな穴を多数開け、中間の軟質樹脂板に鋼球の直径と同程度の穴を多数開け、その穴に鋼球を嵌め込んで、上下の硬質の板材を貼り合わせたことを特徴とする重量物移送用スライダ。
【請求項２】
前記硬質の板材はプラスチックであり、前記軟質樹脂板はウレタン樹脂製である請求項１記載の重量物移送用スライダ。
【発明の詳細な説明】
【技術分野】
【０００１】
本発明は、発電機やキュービクル（配電盤等を収納する筐体）等の重量物を床面に沿って軽い力で移動させるための重量物移送用スライダに関する。
【背景技術】
【０００２】
発電機やキュービクル等の重量物を搬入する場合、現地までトラック等の運送車両で搬送し、クレーン等の荷役機械で現地の床面に卸し、そこからは設置現場まで人力で移動させることが多い。これらの被搬送物は、一般的な台車では荷重が大きすぎるため、床面に鋼管製のころを並べてその上に被搬送物を載せ、被搬送物を人力で水平方向に押すという方法で移動することもなされている。しかしながら、鋼管製のころを用いると、ころよりも被搬送物の方が２倍の距離、先に進むため、被搬送物の下にころがなくなった場合、被搬送物が床面に落下し、被搬送物に衝撃と損傷を与える。特に、直径５ｃｍ程度の鋼管をころとして用いる場合、被搬送物が５ｃｍの高さから床面に落ちることになる。さらに、その高さから被搬送物が落下すると、作業員の足が下敷きになったりして、人身事故に至るおそれがあり、労働の安全を確保することができなくなる。
【０００３】
ころを被搬送物の下に敷く代わりに、鋼球を回転自在に多数埋め込んだボールスライダと呼ばれる重量物搬送装置がある（例えば、特許文献１〜４参照）。
【０００４】
特許文献１に記載された重量物位置決め装置は、二枚の金属板に金属小球を多数配列させたもので、金属小球は二枚の金属板に設けた穴の間で自由に回転できるようになっている。
【０００５】
特許文献２に記載された重量物移動器具は、複数の玉が自由に回転できるように移動板に嵌め込まれている。
【０００６】
特許文献３に記載された工作物下敷卓上ボールスライダは、平面ボール支持板本体に本体の板厚より大きめな、ボールが自由に動く程度の孔を多数設け、その孔に、ボールを自由に回転できるように埋め込んで、飛び出さないように保持したものである。
【０００７】
【特許文献１】特開平１１−１３０２１９号公報
【特許文献２】特開２００２−３３８０１９号公報
【特許文献３】実開昭５７−４６５０９号公報
【発明の開示】
【発明が解決しようとする課題】
【０００８】
このような、特許文献１〜３に記載されたような、多数の小鋼球（ボール）を回転自在に設けたボールスライダでは、ボールと、そのボールを保持する保持部材の穴との間が、ボールが自由に回転できるクリアランスに設定されているため、軽い力で重量物である被搬送物を水平移動することができる。
【０００９】
ところで、このようなボールスライダを使用する場合、ボールと保持部材との間の摩擦が非常に小さくなるような構成であるため、ボールスライダ上に直接、あるいは平板を介して重量物である被搬送物を載せて床面上を移動させると、軽い力で被搬送物が移動する。被搬送物が、移動し始めると、その慣性で、なかなか止まらないことがあり、うっかりしていると、目的の場所で止まらずに、行き過ぎて、付近の構造物に衝突する事故が発生するおそれがある。そのため、作業員は注意深く被搬送物の移動を監視し、目的の場所の近くになると、被搬送物を大きな力で止めなければならない。
【００１０】
また、搬送業者が、トラックから被搬送物を一旦、これらのボールスライダの上に載せた状態で被搬送物を引き渡した後、現場での別の作業員による移送作業に掛かる前にその場から引き揚げてしまったとき、強風や、わずかな床面の勾配で被搬送物がボールスライダ上を自然に動き出し、加速がついて思わぬ事故になる場合がある。
【００１１】
このように、従来のボールスライダでは、軽い力で被搬送物を移動できるようにした構造が、かえってアダになり、思わぬ事故が生じるおそれがある。
【００１２】
本発明は、その上に載せて被搬送物を移動する際に、適当な制動力を鋼球に与えることにより、被搬送物が慣性で動きすぎないようにした重量物移送用スライダを提供することを目的とする。
【課題を解決するための手段】
【００１３】
前記課題を解決するため、本発明の重量物移送用スライダは、上下の硬質の板材に鋼球の直径よりも小さな穴を多数開け、中間の軟質樹脂板に鋼球の直径と同程度の穴を多数開け、その穴に鋼球を嵌め込んで、上下の硬質の板材を貼り合わせたことを特徴とする。
前記硬質の板材はプラスチックとすることができ、また前記軟質樹脂板はウレタン樹脂製とすることができる。
【発明の効果】
【００１４】
本発明によれば、鋼球を中間の軟質樹脂板に形成した穴に埋め込んだので、鋼球が軟質樹脂板に接触し、鋼球が回転するときに適度な摩擦抵抗となって、重量物を移送するときに重量物の慣性で動きすぎることを抑制できる。
【発明を実施するための最良の形態】
【００１５】
以下、本発明の実施の形態を、図１および図２を用いて説明する。
図１は本発明の実施の形態に係る重量物移送用スライダの斜視図、図２はその断面図である。
【００１６】
これらの図において、重量物移送用スライダ１は、鋼球２と、上下の硬質の板材３と、中間の軟質樹脂板４とからなる。上下の硬質の板材３には、鋼球２の直径ｄ１よりも若干小さな直径ｄ２の穴をあけ、中間の軟質樹脂板４には、鋼球２の直径ｄ１とほぼ同じ径の穴をあける。
【００１７】
製造においては、中間の軟質樹脂板４の穴に鋼球２を埋め込み、上下に硬質の板材３を重ねて、硬質の板材３を軟質樹脂板４に接着する。
【００１８】
硬質の板材３は、ポリプロピレン、ポリエチレン、ポリエステル、ポリカーボネート樹脂、アクリルスチロール樹脂、アクリル変性高衝撃塩化ビニル、塩化ビニル樹脂、ＡＢＳ樹脂等のプラスチック板とすることができ、軟質樹脂板４はウレタン樹脂製とすることができる。接着には、接着剤を使用するか、熱融着で接着することができる。なお、硬質の板材３としては、プラスチック板のほか、鋼板等も用いることができる。軟質樹脂板４としては、ウレタン樹脂製のほか、ゴム板やシリコン樹脂等、他の軟質のプラスチックとすることもできる。
【００１９】
鋼球２は、ステンレス製とすることができ、例えば直径１ｃｍのものを使用することができる。
【００２０】
重量物移送用スライダ１のサイズは、重量物の大きさに応じて、各種製作することができる。
【００２１】
以上の構成の重量物移送用スライダ１は、鋼球２の外周面に軟質樹脂板４の穴の内周面が接触しているため、軟質樹脂板４と鋼球２との間に適度な摩擦抵抗が作用し、重量物である被搬送物を移動させる場合の制動力となる。
【００２２】
このため、目的の場所で止まらずに、行き過ぎて、付近の構造物に衝突したり作業員の
体が圧迫されるような事故がなくなる。また、重量物移送用スライダ上に被搬送物を載せた状態で放置しても、強風や、わずかな床面の勾配で被搬送物がボールスライダ上を自然に動き出すような事故を解消することができる。
【００２３】
なお、制動力の大きさは、鋼球２の外径と軟質樹脂板４の穴の内周との間のクリアランスや鋼球２の数により規定されるので、それらの数値を適正に選定することにより、制動力の大きさを設定することができる。
【産業上の利用可能性】
【００２４】
本発明は、制動力を有する重量物移送用スライダとして、重量物の移動手段として好適に利用することができる。
【図面の簡単な説明】
【００２５】
【図１】本発明の実施の形態に係る重量物移送用スライダの斜視図である。
【図２】本発明の実施の形態に係る重量物移送用スライダの断面図である。
【符号の説明】
【００２６】
１  重量物移送用スライダ
２  鋼球
３  硬質の板材
４  軟質樹脂板
【図１】
2008056400.tif 000003
【図２】
2008056400.tif 000004